【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
テープ装置（１０）の動作方法であって、一対のテープのスプール（３０，３２）の周長を得ることを含み、前記一対のスプール（３０，３２）が、テープ（３４）が最初に巻き付けられている供給スプール（３０）と、前記供給スプール（３０）から巻き出されたテープ（３４）を受け取る巻取スプール（３２）とを含み、テープ（３４）が前記スプール（３０，３２）同士の間のテープ経路に沿って延在するように、前記各スプールがハウジング（１１）に取り付けられたそれぞれの回転可能なスプール支持体（１２，１４）に取り付けられ、センサアセンブリ（１６）が設けられる方法において、
テープ（３４）を前記供給スプール（３０）から前記テープ経路内に給送すると共にテープ（３４）を前記テープ経路から前記巻取スプール（３２）に巻き付けるように、前記巻取スプール支持体（１４）及び前記供給スプール支持体（１２）を同時に回転させることと、
前記センサアセンブリ（１６）を用いて測定期間中における前記供給スプール（３０）によって前記テープ経路内に給送されたテープ（３４）の長さを求めることと、
前記スプール支持体（１２，１４）の各々が前記測定期間中に回転した角度をモニタリングすることと、
前記測定期間の開始時の前記テープ経路における前記テープ（３４）の長さと、前記測定期間の終了時の前記テープ経路における前記テープ（３４）の長さとが実質的に同一であるように、前記テープ経路における前記テープ（３４）の長さを調節することと、
前記測定期間中に前記テープ経路内に給送されるテープ（３４）の長さ及び前記測定期間中に前記スプール支持体（１２，１４）の各々が回転した角度による情報を用いて、前記供給スプール（３０）及び前記巻取スプール（３２）の周長を得ることと
を含む方法。
【請求項２】
前記テープ経路における前記テープ（３４）の張力は、前記スプール支持体（１２，１４）同士の間に延在するテープ（３４）の長さの変動に適応させるように前記測定期間中における前記テープ経路の長さを調整することによって、所定の限界値同士の間で維持される請求項１に記載の方法。
【請求項３】
前記測定期間の開始と終了との間の前記テープ経路における前記テープ（３４）の長さの差は、１ｍｍ未満である請求項１または２に記載の方法。
【請求項４】
前記測定期間の開始と終了とでの前記テープ経路における前記テープ（３４）の長さの差は、実質的に０ｍｍである請求項１または２に記載の方法。
【請求項５】
前記テープ経路における前記テープ（３４）の長さは、前記測定期間中の前記テープ経路における前記テープ（３４）の長さの０．５％未満で変動する請求項１〜４のいずれか一項に記載の方法。
【請求項６】
前記スプール支持体（１２，１４）のうちの少なくとも一方の角速度は、前記テープ経路の長さを所定の限界値同士の間で維持するように、前記テープ経路の長さが調整されるのに対応して調整可能である請求項２〜５のいずれか一項に記載の方法。
【請求項７】
前記供給スプール支持体（１２）の角速度は調整可能である請求項６に記載の方法。
【請求項８】
前記テープ経路における前記テープ（３４）の張力は、実質的に一定に維持される請求項６または７に記載の方法。
【請求項９】
前記テープ装置（１０）に張力調節装置（２０）を設けることと、前記ハウジング（１１）及び前記スプール支持体（１２，１４）に対して前記張力調節装置（２０）の少なくとも一部を移動させることによって前記テープ経路の長さを調整することとを含む請求項２〜８のいずれか一項に記載の方法。
【請求項１０】
前記ハウジング（１１）に対する前記張力調節装置（２０）の位置の示度をコントローラ（１７）に供給することと、前記張力調節装置（２０）を所望の位置に向かって移動させるように前記スプール支持体（１２，１４）のうちの少なくとも一方の角速度を調整することとを含む請求項９に記載の方法。
【請求項１１】
周長が既知であるローラ（１８）を含むセンサアセンブリ（１６）を設けると共に前記ローラ（１８）を通過したテープ（３４）の長さを求めるように前記ローラ（１８）の回転数をモニタリングすることによって、前記供給スプール（３０）から前記テープ経路内に給送されるテープ（３４）の長さを求めることを含む請求項１〜１０のいずれか一項に記載の方法。
【請求項１２】
前記スプール（３０，３２）の各々が前記測定期間中に少なくとも１つの完全な回転を経て回転することを確実にするように、前記測定期間の継続時間を制御することを含む請求項１〜１１のいずれか一項に記載の方法。
【請求項１３】
テープ（３４）が、前記測定期間中に前記スプール（３０，３２）同士の間を一方向のみに移送される請求項１〜１２のいずれか一項に記載の方法。
【請求項１４】
前記測定期間の後における前記スプール（３０，３２）同士の間での前記テープ（３４）の移送中の前記スプール支持体（１２，１４）を駆動する適切な相対速度を、前記スプール（３０，３２）の周長に従って求めることを含む請求項１〜１３のいずれか一項に記載の方法。
【請求項１５】
ハウジング（１１）、テープ（３４）の第１のスプール（３０）を支持する第１の回転可能なスプール支持体（１２）及びテープ（３４）の第２のスプール（３２）を支持する第２の回転可能なスプール支持体（１４）を備えるテープ装置（１０）であって、回転可能な前記各スプール支持体（１２，１４）が前記ハウジング（１１）内に配置され且つそれぞれのモータ（１５）によって回転駆動可能であり、前記モータ（１５）は同時に電圧が印加されることができ、それにより、テープ（３４）が前記スプール（３０，３２）同士の間のテープ経路に延在した状態で前記スプール（３０，３２）が前記スプール支持体（１２，１４）の各々に取り付けられているとき、テープ（３４）を一方の前記スプール（３０，３２）から他方の前記スプールまで移送するように、テープが前記スプール（３０，３２）のうちの第１のスプールから前記テープ経路内に巻き出されると共にテープ（３４）が前記テープ経路から前記スプール（３０，３２）のうちの第２のスプールに巻き付けられる、テープ装置（１０）において、測定期間中に前記テープ経路内に給送されたテープ（３４）の長さに関する入力をコントローラ（１７）に供給するように動作可能であるセンサアセンブリ（１６）と、前記テープ経路における前記テープ（３４）の長さを調整するように、前記ハウジング（１１）及び前記スプール支持体（１２，１４）に対して移動可能である張力調節装置（２０）とをさらに備え、前記コントローラ（１７）は、前記測定期間の開始時の前記テープ経路における前記テープ（３４）の長さが前記測定期間の終了時の前記テープ経路におけるテープ（３４）の長さと実質的に同一であるように、前記測定期間中に前記テープ経路における前記テープ（３４）の長さを調節すると共に、前記測定期間中に前記テープ経路内に給送されたテープ（３４）の長さに関する前記入力と前記測定期間中に前記スプール支持体（１２，１４）の各々が回転した角度とから、前記第１及び第２のスプール（３０，３２）の周長を得るように動作可能である、テープ装置（１０）。
【請求項１６】
前記センサアセンブリ（１６）が、周長が既知である第１のローラ（１８）と、前記測定期間中に前記第１のローラ（１８）によって行われた回転の数を求めるセンサ（１９）とを含む請求項１５に記載のテープ装置（１０）。
【請求項１７】
前記張力調節装置（２０）が、前記スプール（３０，３２）同士の間の前記テープ（３４）の長さの変化に対応して、前記ハウジング（１１）及び前記スプール支持体（１２，１４）に対して移動可能である調整ローラ（２２）を含む請求項１５または１６に記載のテープ装置（１０）。
【請求項１８】
前記張力調節装置（２０）が、前記測定期間以外の期間中に前記テープ経路における前記テープ（３４）の張力を所定の限界値同士の間で維持するように、前記スプール（３０，３２）同士の間の前記テープ（３４）の長さの変化に対応して前記テープ経路の長さを調整するように動作可能である請求項１５〜１７のいずれか一項に記載のテープ装置（１０）。
【請求項１９】
前記調整ローラ（２２）の位置の示度を前記コントローラ（１７）に供給する位置センサ（３８）を備える請求項１７または１８に記載のテープ装置（１０）。
【請求項２０】
前記位置センサ（３８）がホール効果センサ（３５）を含む請求項１９に記載のテープ装置（１０）。
【請求項２１】
前記テープ経路の長さの変化は、前記測定期間中の前記調整ローラ（２２）の位置の変化に関する示度から取得可能である請求項１５〜２０のいずれか一項に記載のテープ装置（１０）。
【請求項２２】
回転可能な前記各スプール支持体（１２，１４）が両方向に回転可能であるように、可逆であり、それにより、テープ（３４）が前記スプール（３０，３２）同士の間を両方向に移送可能である請求項１５〜２１のいずれか一項に記載のテープ装置（１０）。
【請求項２３】
前記スプール支持体のモータ（１５）のうちの少なくとも一方がステッピングモータである請求項１５〜２２のいずれか一項に記載のテープ装置（１０）。
【請求項２４】
両方のスプール支持体のモータ（１５）がステッピングモータである請求項２３に記載のテープ装置（１０）。
【請求項２５】
請求項１５〜２４のいずれか一項に記載のテープ装置（１０）を備える印刷装置（２７）であって、前記テープ装置（１０）は、一対のスプール（３０，３２）の間でインクリボンであるテープ（３４）を移送するように動作可能であり、該印刷装置（２７）は、前記テープ経路に隣り合って配置され且つ前記インクリボンから基材（３６）にインクを転写する印刷動作を行うように動作可能である印刷ヘッド（２８）をさらに備える印刷装置（２７）。
【請求項２６】
感熱プリンタである請求項２５に記載の印刷装置（２７）。